(57)【要約】      （修正有）【課題】マスクを外したときに収納して保管し、使い捨てで安価な構成で、マスクの保健衛生的な管理上の問題を解消したマスク収納用具を提供する。【解決手段】矩形状の下部部材１１と、下部部材の上面側に配置され、縦寸法が下部部材より小さく、横寸法が下部部材と同一の矩形状の上部部材１２とが積層されて構成され、下部部材及び上部部材の下端部と、左右いずれか一方の側端部とが閉鎖され、下部部材及び上部部材の上端部及び他方の側端部が開放されており、下部部材と上部部材との間にマスク１００を収納する構造である。【選択図】図３
0003229875.tif 000002
【実用新案登録請求の範囲】
【請求項１】
矩形状の下部部材と、
前記下部部材の上面側に配置され、縦寸法が前記下部部材より小さく、横寸法が前記下部部材と同一の矩形状の上部部材と、
が積層されて構成され、
前記下部部材及び前記上部部材の下端部と、左右いずれか一方の側端部とが閉鎖され、前記下部部材及び前記上部部材の上端部及び他方の側端部が開放されており、前記開放された部分を経て、前記下部部材と前記上部部材との間にマスクを収納する構造となっていることを特徴とする紙製のマスク収納用具。
【請求項２】
前記下部部材及び前記上部部材の厚さが０．００５ｍｍ〜０．５ｍｍであり、同一材料で成っている請求項１に記載の紙製のマスク収納用具。
【請求項３】
前記下部部材の開放された面に、上端部に沿った折り曲げ用溝が設けられており、前記折り曲げ用溝を介して前記下部部材の上端部が折り曲げ可能になっている請求項１又は２に記載の紙製のマスク収納用具。
【請求項４】
１枚の型紙から作成された構造であり、前記下部部材及び前記上部部材の下端部が折り曲げ構造で接続されている請求項２又は３に記載の紙製のマスク収納用具。
【請求項５】
前記下部部材及び前記上部部材が色付きである請求項１乃至４のいずれかに記載の紙製のマスク収納用具。
【考案の詳細な説明】
【技術分野】
【０００１】
本考案は、飲食店等で外したマスクを収納して衛生的に保管するマスク収納用具に関し、特に使い捨てで安価であり、ファッション的に使用可能な紙製のマスク収納用具に関する。
【背景技術】
【０００２】
新型コロナウイルスやインフルエンザなどの感染防止のため、マスクを着用する機会が増えている。マスク着用の機会が増えると共に、レストランや飲み屋での食事や飲食、歯科医院においての治療時などの時には、マスクを外さざるを得ない。その際、従来は外したマスクを自分の衣服のポケットやハンドバッグに入れたり、テーブルや椅子等の上に置くことになる。
【先行技術文献】
【特許文献】
【０００３】
【特許文献１】実用新案登録第３１５９４７２号公報
【特許文献２】実用新案登録第３１１２１２１号公報
【考案の概要】
【考案が解決しようとする課題】
【０００４】
マスクをポケットやハンドバッグに入れた場合には、マスクが皺になったり、ポケットなどの汚れや菌類が付着することもある。また、マスクをテーブルや椅子等の上に直接置く場合には、テーブルや椅子等の埃や塵などがマスクに付着する心配があり、逆に店や応接側にとっては、マスクに付着しているかも知れないウイルスがテーブルや椅子等に付着してしまう心配を生じさせる。
【０００５】
本考案は上述のような事情よりなされたものであり、本考案の目的は、マスクを外したときに収納して保管し、使い捨てで安価な構成で、マスクの保健衛生上の問題を解消したマスク収納用具を提供することにある。
【課題を解決するための手段】
【０００６】
本考案は紙製のマスク収納用具に関し、本考案の上記目的は、矩形状の下部部材と、前記下部部材の上面側に配置され、縦寸法が前記下部部材より小さく、横寸法が前記下部部材と同一の矩形状の上部部材とが積層されて構成され、前記下部部材及び前記上部部材の下端部と、左右いずれか一方の側端部とが閉鎖され、前記下部部材及び前記上部部材の上端部及び他方の側端部が開放されており、前記開放された部分を経て、前記下部部材と前記上部部材との間にマスクを収納する構造により達成される。
【０００７】
本考案の上記目的は、前記下部部材及び前記上部部材の厚さが０．００５ｍｍ〜０．５ｍｍであり、同一材料で成っていることにより、或いは前記下部部材の開放された面に、上端部に沿った折り曲げ用溝が設けられており、前記折り曲げ用溝を介して前記下部部材の上端部が折り曲げ可能になっていることにより、或いは１枚の型紙から作成された構造であり、前記下部部材及び前記上部部材の下端部が折り曲げ構造で接続されていることにより、或いは前記下部部材及び前記上部部材が色付きであることにより、より効果的に達成される。
【考案の効果】
【０００８】
本考案に係るマスク収納用具は紙製であるため、安価に製造でき、使い捨てでも脱プラスチックの国際的な環境要請にも適していると共に、マスク使用者にとっても、応接側にとっても衛生的な管理を行うことができる。紙製であるため折り畳みも容易であり、静電気で埃などを付着させるＰＰ（ポリプロピレン）系と相違して清潔であり、また、塩化ビニールのように匂い移りの心配もなく、湿気が籠ることもない。このため、人が常時マスク収納用具を持ち歩くほかに、飲食店、歯科医院、美容院、宿泊施設などに多数枚を置いておき、来客した顧客等に提供若しくは取ってもらって、自由に使用してもらうこともできる。
【０００９】
また、本考案に係るマスク収納用具は、清潔感溢れる色（例えば萌黄、サーモン、薄い黄緑、薄い青や緑）で綺麗に色付けされているので、美観をもってファッション的な感覚で使用できる。
【図面の簡単な説明】
【００１０】
【図１】本考案に係るマスク収納用具の外観斜視図である。
【図２】図１のＸ−Ｙ線の断面構造図である。
【図３】本考案に係るマスク収納用具にマスクを収納する様子を示す模式図である
【図４】マスク収納途中の様子を示す図である。
【図５】マスクを収納した後のマスク収納用具の外観斜視図である。
【図６】本考案に係るマスク収納用具の製造工程の一例を示す展開図である。
【考案を実施するための形態】
【００１１】
マスクを装着して飲食店などに出かけた場合、飲食時にはマスクを外すことになるので、従来は外したマスクを衣服のポケットやハンドバッグに入れたり、テーブルや椅子等の上に置いていた。マスクをポケットやハンドバッグに入れた場合には、マスクが皺になったり、ポケットなどの汚れや菌類がマスクに付着することもある。また、テーブル等の上に直接マスクを置いた場合には、テーブルや椅子等の埃や塵がマスクに付着する心配があり、逆に店や応接側にとっては、マスクに付着しているかも知れないウイルスがテーブルや椅子等に付着する心配を生じさせている。
【００１２】
本考案に係るマスク収納用具は紙製であり、軽くて折り畳みも可能であるため、自分で常時持ち歩くことができ、また、飲食店や美容院等側で、事前に多数枚を用意しておいて顧客に提供するようにすれば、外したマスクをマスク収納用具に収納してテーブル等に置いても使用形態が極めて衛生的であり、ウイルス感染の恐れもなくお互いに安心できる。印刷用紙などの紙製であるため、脱プラスチックの国際的な環境要請にも適していると共に、静電気で埃などを付着させるＰＰ（ポリプロピレン）系と相違して清潔であり、また、塩化ビニールのように匂い移りの心配もなく、湿気が籠ることもない。
【００１３】
更に、本考案に係るマスク収納用具は清潔感に溢れた色で色付けされているので、美観をもってファッション的な感覚で使用することができる。
【００１４】
以下に、本考案の実施形態を図面を参照して説明する。
【００１５】
図１は本考案に係るマスク収納用具１０の外観を示しており、全体が紙製であると共に、清潔感溢れる色（例えば萌黄、サーモン、薄い黄緑、薄い青や緑）で綺麗に色付けされており、大きさは一般的なマスクを収納できる寸法となっている。マスク収納用具１０は、矩形状の下部部材１１と、下部部材１１の上面側に配置され、縦寸法が下部部材１１よりも小さく、横寸法が下部部材１１と同一の上部部材１２とが積層された構造となっている。そして、下部部材１１と上部部材１２とは下端部ＬＥが接合部１３によって閉鎖されると共に、右側端部ＲＥＮが接合部１４によって閉鎖されている。接合部１３及び１４は、接着剤等で下部部材１１及び上部部材１２の端部を接着した閉鎖形態である。他方、下部部材１１と上部部材１２との上端部ＵＥと左側端部ＬＥＮは開放されており、自由に開けることが可能となっている。また、下部部材１１の上端部ＵＥの下側には、積層された上部部材１２の上端部に沿った１条の折り曲げ用溝１５が設けられており、下部部材１１を折り曲げ用溝１５に沿って、図の手前側に折り曲げできるようになっている。
【００１６】
図２は、図１のＸ−Ｙ線の断面構造を示しており、折り曲げ用溝１５の断面形状は湾曲若しくは丸みをもって、下部部材１１の上面に設けられている。
【００１７】
このような構成において、端部が開放されている上端部ＵＥと左側端部ＬＥＮの上部部材１２を図３に示すように開け、マスク１００を下部部材１１と上部部材１２との間の空間に入れて収納する。図４はその様子を示している。
【００１８】
マスク１００の全体が収納されて後、図５に示すように折り曲げ用溝１５で下部部材１１の上端部を折り曲げる。折り曲げ用溝１５が端部に沿って設けられているので、スムーズに折り曲げて収納することができる。
【００１９】
この後、マスク１００を収納したマスク収納用具１０をテーブル等の上に置いて、例えば飲食する。マスク１００がテーブル等に直接接触することはなく、極めて衛生的である。飲食中も、マスク１００はマスク収納用具１０内に収納されて保管されているので、マスク１００に飛沫や塵などが付着する心配もない。飲食後はマスク収納用具１０からマスク１００を取り出すと共に、使用済みのマスク収納用具１０は廃棄とする。個人的に使用する場合には、使い捨てでなくても良いが、レストラン、歯科医院、宿泊施設などで来客者に提供する場合には、使い捨てとする。
【００２０】
上述の実施形態では、下部部材１１と上部部材１２とが分離されており、下端部と右側端部で下部部材１１及び上部部材１２を接着剤等で接合する構造となっているが、１枚の型紙から作成して、下端部を折り曲げ形式の構造としても良い。即ち、図１の構成において、下端部ＬＥが接着形式ではなく、折り曲げ構造となっている実施形態である。
【００２１】
図６はその実施形態を示しており、図６（Ａ）に示すような横寸法ｗ、縦寸法（ｈ１＋ｈ２）の長形状の１枚の型紙２０が原型であり、横方向の折れ線ｂｎ１に対してｈ１＞ｈ２の関係を有している。図面上、型紙２０の折れ線ｂｎ１の上側領域が下部部材２１となり、折れ線ｂｎ１の下側領域が上部部材２２となる。下部部材２１の上端部には折り曲げ用溝２３が設けられていると共に、右端はカット面２４となっている。また、下部部材２１の右側端部には、折れ線ｂｎ２を有する糊代部２５が設けられている。図１との関係では、下部部材２１が下部部材１１に対応し、上部部材２２が上部部材１２に対応し、折り曲げ用溝２３が折り曲げ用溝１５に対応している。
【００２２】
この状態で、糊代部２５を折れ線ｂｎ２に沿ってＰ方向に折り曲げると、図６（Ｂ）に示すようになる。この状態で、上部部材２２を折れ線ｂｎ１に沿ってＱ方向に折り曲げると図６（Ｃ）に示すようになる。この状態で、糊代部２５と上部部材２２とを接着剤等で接着し、下部部材２１及び上部部材２２の右側端部を閉鎖する。この場合、下部部材２１及び上部部材２２の下端部ＬＰは、１枚の型紙２０を折れ線ｂｎ１に沿って折り曲げられているので、閉鎖状態となっている。これにより、図１で説明したようなマスク収納用具が形成される。つまり、２つの側端部が閉鎖され、他の２つの側端部が開放された構造である。
【００２３】
前述と同様に、マスク１００を中に収納した後、下部部材２１の上側端部を折り曲げ用溝２３に沿ってＲ方向に折り曲げる。
【００２４】
この後、マスク１００を収納したマスク収納用具をテーブル等の上に置いて、例えば飲食する。マスク１００がテーブル等に直接接触することはなく、極めて衛生的であり、使用後のマスク収納用具は廃棄とする。
【００２５】
本考案に係るマスク収納用具は紙製であるが、紙の種類としては印刷用紙、色上質紙などを使用することができ、紙の厚さは０．００５ｍｍ〜０．５ｍｍである。
【００２６】
上述では図面に沿って左右側端部、上端部、下端部と称して説明しているが、２つの端部が閉鎖され、他の２つの端部が開放された構造であれば良く、上下左右の関係は任意に変更可能である。また、図面は、構造を分かり易くするために紙の厚さやサイズを表示しており、図面の表示関係に限定されるものではない。縦寸法、横寸法についても同様である。
【符号の説明】
【００２７】
１０            マスク収納用具
１１、２１      下部部材
１２、２２      上部部材
１５、２３      折り曲げ用溝
２０            型紙
１００          マスク
【図１】
0003229875.tif 000003
【図２】
0003229875.tif 000004
【図３】
0003229875.tif 000005
【図４】
0003229875.tif 000006
【図５】
0003229875.tif 000007
【図６】
0003229875.tif 000008